(57)【特許請求の範囲】
【請求項１】
浴槽又は前記浴槽に隣接して配設された洗い場床の周縁に形成され、浴室の内壁を構成する壁部材が載置される壁載置部と、
前記壁載置部の外側縁部から立ち上がるように形成された立壁部と、
前記壁部材を取り付けるための柱部材と、
前記立壁部の一端から延出するように前記立壁部に一体に形成され、前記柱部材が連結される延出部と、を備えることを特徴とする浴室ユニット。
【請求項２】
前記延出部は、前記浴槽の前記洗い場床側の一面に隣接する一面に形成された前記立壁部の一端から、平面視において前記洗い場床側に突出するように、横方向に延出されていることを特徴とする請求項１記載の浴室ユニット。
【請求項３】
前記延出部の下方には、前記立壁部の下端よりも垂下して形成されているとともに、前記浴槽の前記洗い場床側の側面に形成された前垂れ部と前記延出部とを一体的に接続する垂下部が備えられていることを特徴とする請求項２記載の浴室ユニット。
【発明の詳細な説明】
【技術分野】
【０００１】
本発明は浴室ユニットに関するものである。
【背景技術】
【０００２】
従来、組み立て式の浴室に用いられるユニットにおいて、浴室の躯体を構成する柱部材を、浴槽や洗い場床の周縁に取り付けることが知られている。浴室ユニットの浴槽及び洗い場床には、その周縁に水返し等を目的とした立壁が形成されているものが知られており、この場合、特許文献１のように、柱部材を立壁（水切立片）に取り付けることが行われている。特許文献１の場合、柱部材の立壁への取り付けは、柱部材の下端部に切り込みを形成し、この下端部を立壁に上方から跨がせるようにして行われている。
【先行技術文献】
【特許文献】
【０００３】
【特許文献１】特開２００２−２７６０５２号公報
【発明の概要】
【発明が解決しようとする課題】
【０００４】
柱部材を立壁に取り付ける他の方法としては、固定用金具を介して柱部材を取り付けることが考えられる。例えば、図８に示すように、固定用金具１０１を立壁部１０２に取り付け、この固定用金具１０１に柱部材１０３を取り付ける。この方法の場合、柱部材を立壁に確実に取り付けることができる。しかし、固定用金具１０１を別途用意する必要があり、コスト高になってしまう。また、固定用金具１０１自体を取り付けるための作業も発生してしまうため煩雑になってしまう。
【０００５】
本発明は、上記従来の実情に鑑みてなされたものであって、容易に組み立てることができる浴室ユニットを提供することを解決すべき課題としている。
【課題を解決するための手段】
【０００６】
本発明の浴室ユニットは、浴槽又は前記浴槽に隣接して配設された洗い場床の周縁に形成され、浴室の内壁を構成する壁部材が載置される壁載置部と、
前記壁載置部の外側縁部から立ち上がるように形成された立壁部と、
前記立壁部の一端から延出するように前記立壁部に一体に形成され、前記壁部材を取り付けるための柱部材が連結される延出部と、を備えることを特徴とする。
【０００７】
この浴室ユニットは、柱部材が連結される延出部を備えている。延出部は、立壁部の一端から延出するように、立壁部に一体に形成されている。このため、柱部材を固定するための固定金具等を別途用いる必要がなく、そのための取り付け作業も不要である。よって、固定金具等を用いる場合と比較して、柱部材を容易に連結することができる。
【０００８】
したがって、本発明の浴室ユニットは、容易に組み立てることができる。
【図面の簡単な説明】
【０００９】
【図１】実施例１に係る浴室ユニットを示す斜視図である。
【図２】実施例１に係る浴室ユニットの要部を示す横断面図である。
【図３】実施例１に係る浴室ユニットの要部を示す縦断面図である。
【図４】実施例１に係る浴室ユニットの要部を示す斜視図である。
【図５】実施例２に係る浴室ユニットの要部を示す斜視図である。
【図６】実施例３に係る浴室ユニットの要部を示す斜視図である。
【図７】他の実施例に係る浴室ユニットを示す斜視図である。
【図８】従来例を示す図である。
【発明を実施するための形態】
【００１０】
本発明における好ましい実施の形態を説明する。
【００１１】
本発明の浴室ユニットにおいて、前記延出部は、前記浴槽の前記洗い場床側の一面に隣接する一面に形成された前記立壁部の一端から、平面視において前記洗い場床側に突出するように、横方向に延出され得る。この場合、浴槽側から洗い場床側に張り出して取り付けられる柱部材を確実に連結することができる。
【００１２】
本発明の浴室ユニットにおいて、前記延出部の下方には、前記立壁部の下端よりも垂下して形成されているとともに、前記浴槽の前記洗い場床側の側面に形成された前垂れ部と、前記延出部と、を一体的に接続する垂下部が備えられ得る。この場合、延出部の強度を向上させることができるとともに、柱部材の取り付け強度の向上も図ることができる。
【００１３】
次に、本発明の浴室ユニットを具体化した実施例１〜３について、図面を参照しつつ説明する。なお、以下の説明では、便宜上、鉛直方向を上下方向とする。そして、浴槽１０と洗い場床２０の並ぶ方向を前後方向とし、洗い場床２０側を前側、浴槽１０側を後側とする。
【００１４】
＜実施例１＞
実施例１の浴室ユニット１は、図１に示すように、浴槽１０、洗い場床２０、壁部材３０、柱部材４０等の部材を組み立てることにより浴室を形成するユニットである。浴槽１０は、浴槽部１１、フランジ部１２、及び前垂れ部１３を有している。浴槽部１１は上面が開放された箱状に形成されている。フランジ部１２は、浴槽部１１の上端から周縁に広がるように形成されている。前垂れ部１３は、フランジ部１２の洗い場床２０側の外縁から下方に延びて形成されている。これら浴槽部１１、フランジ部１２、及び前垂れ部１３は一体成形されている。
【００１５】
洗い場床２０は浴槽１０に隣接して配設される。洗い場床２０は、床面部２１と、この床面部２１の浴槽１０寄りの位置に設けられた排水部２２と、を有している。床面部２１には、床面部２１の上面に落下した湯水が排水部２２に向かって流れるように勾配が付けられている。床面部２１の浴槽１０側の端部には、浴槽１０の前面を覆うように立ち上がるエプロン部２３が設けられている。エプロン部２３は床面部２１に一体に形成されている。エプロン部２３の上端は、浴槽１０の前垂れ部１３の内側に入り込んで浴槽１０に連結されるように形成されている。また、エプロン部２３には開口部２３Ａが形成されている。開口部２３Ａは、浴槽部１１下部や床面、上下水配管等の点検に用いられる。また、開口部２３Ａは、浴槽１０の前垂れ部１３とエプロン部２３との連結の際の作業窓としても用いられる。開口部２３Ａは通常は蓋２３Ｂで閉塞されている。
【００１６】
壁部材３０は浴室の内壁を構成する。壁部材３０は、浴槽１０及び洗い場床２０の周縁に立設される。壁部材３０は、浴槽１０及び洗い場床２０を囲うように複数配置される。壁部材３０は、鋼板製の表面パネルの裏面に石膏ボードを貼り合わせて形成されている。壁部材３０はその外側に立設される柱部材４０に取り付けられる。柱部材４０は、浴室の躯体を構成し、壁部材３０を外側から支持するように、壁部材３０よりも外側に立設される。図２及び図３に示すように、柱部材４０は、その一面にスリット状の開口４１を有する断面略Ｃ字状に形成されている。柱部材４０は、鋼板に折り曲げ加工を施すなどして形成されている。柱部材４０は、開口４１が形成された面が浴室の内側方向を向くように立設される。壁部材３０の両側端縁には断面鉤状に折り曲げられた鉤状部３１が形成されている。壁部材３０は、これら鉤状部３１が柱部材４０の開口４１にそれぞれ差し込まれて係止され、柱部材４０に取り付けられる。
【００１７】
実施例１の浴室ユニット１は、図１〜図４に示すように、壁載置部５０、立壁部６０、及び延出部７０を備えている。壁載置部５０は、浴槽１０の周縁に形成され、壁部材３０が載置される。具体的には、壁載置部５０は、浴槽１０のフランジ部１２の周縁から更に外側に広がるように形成され、壁部材３０の下面がその上面に当接するようにして壁部材３０が載置される。壁載置部５０は、浴槽部１１の上方を三方から囲うように、フランジ部１２の四方の周縁のうちの後側及び左右両側の周縁に設けられている。壁載置部５０はフランジ部１２に一体成形されている。立壁部６０は、壁載置部５０の外縁から立ち上がるように形成されている。立壁部６０は、壁載置部５０に一体に形成されているとともに、壁載置部５０の外縁の略全周に渡って、浴槽部１１を三方から囲うように形成されている。立壁部６０はいわゆる水返しである。
【００１８】
また、図１に示すように、洗い場床２０側にも浴槽１０側と同様の壁載置部５０及び立壁部６０が設けられている。洗い場床２０側の壁載置部５０は、床面部２１の周縁から外側方向に広がるように形成されている。洗い場床２０側の壁載置部５０及び立壁部６０は、床面部２１の上方を三方から囲うように、床面部２１の四方の周縁のうちの前側及び左右両側の周縁に設けられている。
【００１９】
延出部７０には柱部材４０が連結される。延出部７０は、立壁部６０の一端から延出するように、立壁部６０に一体に形成されている。具体的には、本実施例１に係る浴室ユニット１の延出部７０は、図２〜図４に示すように、浴槽１０の洗い場床２０側の一面（前垂れ部１３が設けられた一面）に隣接する一面に形成された立壁部６０の一端から、平面視において洗い場床２０側に突出するように、横方向に延出されている。すなわち、延出部７０は、立壁部６０の側端（洗い場床２０側の端部）から、浴槽１０の前端よりも洗い場床２０側に突出するように、横方向に延出されている。
【００２０】
また、延出部７０の下方には、垂下部７１が備えられている。垂下部７１は、延出部７０の下端から、立壁部６０の下端（壁載置部５０の上端）よりも垂下して形成されている。垂下部７１は、浴槽１０の前垂れ部１３と、延出部７０と、を一体的に接続するように形成されている。すなわち、垂下部７１、前垂れ部１３及び延出部７０は一体成形されている。
【００２１】
本実施例１において、柱部材４０は、浴槽１０側の壁部材３０と洗い場床２０側の壁部材３０とを取り付け可能に、浴槽１０側から洗い場床２０側に張り出して配設される（図３参照）。延出部７０は、連結される柱部材４０の張り出し量と略同等の長さで、立壁部６０の側端から延出されている。柱部材４０は、浴槽１０側に架かる部分の背面において立壁部６０に当接し、洗い場床２０側に張り出した部分の背面において延出部７０に当接している。すなわち、柱部材４０は、その背面の略全体が延出部７０及び立壁部６０に当接して取り付けられている。
【００２２】
また、浴槽１０の立壁部６０には、図４に示すように、柱部材４０の位置出し用のけがき線８０Ａが形成されている。けがき線８０Ａは、柱部材４０の幅中心の位置を合わせるために用いられる。また、浴室ユニット１には、他のけがき線８０Ｂも形成されている。けがき線８０Ｂは、本実施例１にて用いる柱部材４０とは異なる種類の柱部材が用いられる際の位置出し用である。
【００２３】
次に、上記のように構成された本実施例１の浴室ユニット１の作用効果を説明する。浴室ユニット１は、柱部材４０が連結される延出部７０を備えている。延出部７０は、浴槽１０の周縁に立ち上げ形成された立壁部６０の側端から横方向に延出するように、立壁部６０に一体に形成されている。このため、柱部材を固定するための固定金具等の他部材を別途用いる必要がない。そして、固定金具を用いないので固定金具の取り付け作業も不要である。よって、柱部材４０を容易に連結することができ、施工性がよい。したがって、浴室ユニット１は、容易に組み立てることができる。
【００２４】
また、浴室ユニット１は、延出部７０を備えたことにより、固定金具等の他部材が不要であるので、そのための設置スペースや取り付け作業のためのスペースも不要である。このため、スペースを有効利用できる。また、延出部７０を備えたことにより、柱部材を連結するのに十分な当接面を確保できる。このため、柱部材４０を確実に連結することができる。
【００２５】
また、延出部７０は、洗い場床２０側に突出するように、立壁部６０から横方向に延出されている。これにより、浴槽１０側から洗い場床２０側に張り出した状態の柱部材４０を確実に連結することができる。また、延出部の洗い場床２０側への延出長さは、取り付けられる柱部材４０が洗い場床２０側へ張り出す幅と略同等とされている。このため、柱部材４０の端面を延出部７０の端面に合わせて連結することにより、柱部材４０の位置決めを行うことができ、柱部材４０を所定位置に確実に取り付けることができる。また、柱部材４０の位置出し用のけがき線８０Ａも形成されているので、上記延出部７０の端面又はけがき線のいずれかを用いることにより、柱部材４０の確実な位置合わせを行うことができる。
【００２６】
また、延出部７０の下方には、立壁部６０の下端よりも垂下して形成されているとともに、浴槽１０の前垂れ部１３と、延出部７０と、を一体的に接続する垂下部７１が備えられている。このため、延出部７０の強度を向上させることができる。また、これに伴い柱部材４０の取り付け強度の向上も図ることができる。また、垂下部７１が前垂れ部１３と延出部７０を接続することにより浴槽１０自体の強度も向上する。このため、浴槽１０の成形時等の変形を抑制できる。
【００２７】
＜実施例２＞
実施例２の浴室ユニット１は、図５に示す延出部１７０を備えている。延出部１７０は、実施例１の延出部７０と同様に、浴槽１０の立壁部６０の一端から延出するように立壁部６０に一体に形成されている。しかし、延出部１７０は、立壁部６０の上端から上方に延出するように形成されている点において、実施例１と相違する。また、延出部１７０は、連結される柱部材４０の横幅と略同等の幅で上方に延出している。他の構成は実施例１と同様であり、同一の構成は同一の符号を付して詳細な説明を省略する。
【００２８】
この場合も、延出部１７０により、柱部材を固定金具等の他部材を用いることなく柱部材を容易に連結することができる。また、延出部１７０は、立壁部６０の上端から上方に延出している。すなわち延出部１７０は、立壁部６０の上端から上方に突出している。このため、柱部材４０が連結される位置が容易に把握できる。また、延出部１７０は、柱部材４０の横幅と略同等の幅で延出している。このため、柱部材４０を延出部１７０の幅に合わせて連結することで、柱部材４０の位置決めを行うことができる。また、延出部１７０は、立壁部６０の上端から上方に延出しているので、延出長さを変更することで、柱部材４０との当接面の面積を適宜調整できる。これにより、所望する柱部材４０との当接面積を容易に確保することができる。
【００２９】
＜実施例３＞
実施例３の浴室ユニット１は、図６に示す延出部２７０を備えている。延出部２７０は、実施例１及び２の延出部７０，１７０と同様に、浴槽１０の立壁部６０の一端から延出するように立壁部６０に一体に形成されている。しかし、延出部２７０は、立壁部６０の上端から上方に向かって延出しているとともに、平面視略Ｌ字状に形成されている点において、実施例１及び２と相違する。他の構成は実施例１及び２と同様であり、同一の構成は同一の符号を付して詳細な説明を省略する。
【００３０】
この場合、延出部２７０には、浴室の角部に立設される柱部材が連結される。延出部２７０は、平面視略Ｌ字状に、立壁部６０の上端から上方に延出するように形成されている。このため、柱部材４０を延出部２７０に連結することで簡単に柱部材４０の位置決めを行うことができる。
【００３１】
本発明は上記記述及び図面によって説明した実施例に限定されるものではなく、例えば次のような実施例も本発明の技術的範囲に含まれる。
（１）実施例１では、立壁部６０の下端よりも垂下して形成された垂下部７１を設ける構成を示したが、本発明において垂下部は必須の構成ではなく、垂下部を設けない構成であってもよい。
（２）実施例１〜３では、延出部７０，１７０、２７０を横方向、又は上方に延出するようにしたが、これに限定されず、例えば、横方向、及び上方向等の２方向以上に延出する延出部としてもよい。
（３）実施例１では、延出部７０の延出長さを、柱部材４０の張り出し量と略同等としたが、柱部材の寸法に拘わらず、任意に設定してもよい。
（４）実施例２では、上方に延出する延出部１７０の幅を、柱部材の幅と略同等にしたが、柱部材の寸法に拘わらず、任意に設定してもよい。
（５）実施例１〜３では、浴槽１０に延出部７０，１７０，２７０を設ける構成を例示したが、これに限定されず、例えば、洗い場床に延出部が設けられている構成としてもよい。すなわち、図７に示すように、洗い場床２０の立壁部６０に一体に形成された延出部１７０，２７０を備えてもよい。
（６）実施例１〜３では、形態の異なる延出部７０，１７０，２７０を備える浴室ユニットをそれぞれ示したが、これに限定されず、例えば、図７に示すように、これらの延出部７０，１７０，２７０のうちの２種以上を備える浴室ユニットであってもよい。
（７）実施例３では、平面視略Ｌ字状の延出部２７０を浴室の角部に相当する位置に設けるようにしたが、実施例１又は２のような角部ではない位置においても、Ｌ字状に延出する延出部を設けてもよい。この場合、実施例３と同様に、柱部材の位置決めを容易に行うことができる。
（８）実施例１では、柱部材４０の幅中心の位置を合わせるために用いるけがき線８０Ａを形成したが、これに限定されず、例えば、けがき線を形成する場合には、柱部材の端面の位置合わせに用いるけがき線など、他の基準位置に合わせるためのけがき線を形成するようにしてもよい。
【符号の説明】
【００３２】
１…浴室ユニット
１０…浴槽
１１…浴槽部
１２…フランジ部
１３…前垂れ部
２０…洗い場床
２１…床面部
２２…排水部
２３…エプロン部
２３Ａ…開口部
２３Ｂ…蓋
３０…壁部材
３１…鉤状部
４０，１０３…柱部材
４１…開口
５０…壁載置部
６０，１０２…立壁部
７０，１７０，２７０…延出部
７１…垂下部
８０Ａ，８０Ｂ…けがき線
１０１…固定用金具
【図１】
0006703345.tif 000002
【図２】
0006703345.tif 000003
【図３】
0006703345.tif 000004
【図４】
0006703345.tif 000005
【図５】
0006703345.tif 000006
【図６】
0006703345.tif 000007
【図７】
0006703345.tif 000008
【図８】
0006703345.tif 000009